(57)【要約】  １つまたは複数の光モジュールが関連付けられ、くぼみを画定する１つまたは複数の側部部材（１０４）を備える照明器具（１００）が、開示される。１つまたは複数の光源と、１つまたは複数の光指向部材と、光源および指向部材をモジュール内に封入するレンズとを有する光モジュール。光指向部材は、さまざまな構成の反射体モジュールを備えて、関連付けられた１つまたは複数の光源からさまざま配光を与えることができる。光モジュールは、所望の配光を形成するように組み合わせるためにさまざまな配光を投じるように構成され得る。光モジュールは、同じ側部部材から任意の所望の配光を作り出すように設計または交換され得る。光モジュールはトレイを備えることができ、それにより、レンズはトレイに封止されて、水分がモジュールに入らないようにする。【選択図】図１
2014532971.tif 000002
【特許請求の範囲】
【請求項１】
照明器具内の光源に関連付けるための反射体モジュールであって、
基部、上側反射体モジュール壁、および下側反射体モジュール壁を有して、長手方向の谷様形状を画定する巣部であって、
前記基部が、光源開口の第１の列および光源開口の第２の列を画定する、巣部と、
光源開口の前記第１の列と光源開口の前記第２の列の間に位置して、前記巣部内に第１の反射体谷部および第２の反射体谷部を画定するＵ字形状の長手方向仕切り板と
を備える、反射体モジュール。
【請求項２】
前記長手方向仕切り板が、前記第１の反射体谷部に隣接する真っすぐな上側壁と、前記第２の反射体谷部に隣接する真っすぐな下側壁と、前記長手方向仕切り板の真っすぐな上側壁と前記長手方向仕切り板の真っすぐな下側壁とを連結する真っすぐな稜部とを備える、請求項１に記載の反射体モジュール。
【請求項３】
前記基部が、さらに、光源開口の第３の列と、光源開口の前記第２の列と光源開口の前記第３の列の間に位置して、前記巣部内に第３の反射体谷部を画定する第２の長手方向仕切り板とを画定する、請求項１に記載の反射体モジュール。
【請求項４】
前記長手方向仕切り板が、前記Ｕ字形の開放端部が前記巣部の前記基部に向かって向けられるように反転される、請求項１に記載の反射体モジュール。
【請求項５】
前記長手方向仕切り板の第１の面が、光源開口の前記第１の列に向かって向けられる曲線を画定または近似する、請求項１に記載の反射体モジュール。
【請求項６】
光源開口の１つまたは複数の隣接する対間に、前記Ｕ字形状の長手方向仕切り板および前記上側反射体モジュール壁の近傍から延びる横断方向仕切り板をさらに有する、請求項１に記載の反射体モジュール。
【請求項７】
前記横断方向仕切り板が、曲線を画定または近似する前面を備えて、前記隣接する光源開口内に位置する光源から発せられた少なくとも一部の光を前記光源開口の方向に戻すように指向させる、請求項６に記載の反射体モジュール。
【請求項８】
前記横断方向仕切り板が、前記巣部の前記基部に対して凡そ垂直に配向された凡そ真っすぐな面を備える、請求項６に記載の反射体モジュール。
【請求項９】
別の横断方向仕切り板が、前記巣部の前記基部に対して凡そ垂直に配向された凡そ真っすぐな面を備える、請求項７に記載の反射体モジュール。
【請求項１０】
照明器具であって、
光源と、
各々が前記光源に関連付けるための反射体モジュールを備える１つまたは複数の側部部材であって、前記反射体モジュールが、
基部、上側反射体モジュール壁、および下側反射体モジュール壁を備えて、長手方向の谷様形状を画定する巣部であって、
前記基部が、光源開口の第１の列および光源開口の第２の列を画定する、巣部と、
光源開口の前記第１の列と光源開口の前記第２の列の間に位置して、前記巣部内に第１の反射体谷部および第２の反射体谷部を画定するＵ字形状の長手方向仕切り板と
を備える、側部部材とを備える、照明器具。
【請求項１１】
前記長手方向仕切り板は、前記第１の反射体谷部に隣接する真っすぐな上側壁と、前記第２の反射体谷部に隣接する真っすぐな下側壁と、前記長手方向仕切り板の上側壁と前記長手方向仕切り板の真っすぐな下側壁とを連結する真っすぐな稜部とを備える、請求項１０に記載の照明器具。
【請求項１２】
前記基部が、さらに、光源開口の第３の列と、光源開口の前記第２の列と光源開口の前記第３の列との間に位置して、前記巣部内に第３の反射体谷部を画定する第２の長手方向仕切り板とを画定する、請求項１０に記載の照明器具。
【請求項１３】
前記長手方向仕切り板が、前記Ｕ字形の開放端部が前記巣部の前記基部に向かって向けられるように反転される、請求項１０に記載の照明器具。
【請求項１４】
前記長手方向仕切り板の第１の面が、光源開口の前記第１の列に向かって向けられる曲線を画定または近似する、請求項１０に記載の照明器具。
【請求項１５】
光源開口の１つまたは複数の隣接する対間に、前記Ｕ字形状の長手方向仕切り板および前記上側反射体モジュール壁の近傍から延びる横断方向仕切り板をさらに備える、請求項１０に記載の照明器具。
【請求項１６】
前記横断方向仕切り板が、曲線を画定または近似する前面を有して、前記隣接する光源開口内に位置する光源から発せられた少なくとも一部の光を前記光源開口の方向に戻すように指向させる、請求項１５に記載の照明器具。
【請求項１７】
前記横断方向仕切り板が、前記巣部の前記基部に対して凡そ垂直に配向された凡そ真っすぐな面を備える、請求項１５に記載の照明器具。
【請求項１８】
別の横断方向仕切り板が、前記巣部の前記基部に対して凡そ垂直に配向された凡そ真っすぐな面を備える、請求項１６に記載の照明器具。
【請求項１９】
照明器具を製造する方法であって、
少なくとも第１の側部部材および第２の側部部材を備える側部部材のグループを提供するステップと、
前記照明器具の配光パターンを選択するステップと、
第１の配光を生み出すために前記第１の側部部材の光源に関連付けるための第１の反射体モジュールを選択するステップと、
前記第１の配光とは異なる第２の配光を生み出すために前記第２の側部部材の光源に関連付けるための第２の反射体モジュールを選択するステップと、
側部部材の前記グループの前記配光を組み合わせて前記選択された配光パターンを近似するように側部部材の前記グループを組み立てるステップと
を含む方法。
【請求項２０】
第１の配光を生み出すために前記第１の側部部材の光源に関連付けるための第１の反射体モジュールを選択する前記ステップが、ＩＥＳＮＡタイプ５配光を生み出す第１の反射体モジュールを選択することを構成し、前記第１の配光とは異なる第２の配光を生み出すために前記第２の側部部材の光源に関連付けるための第２の反射体モジュールを選択するステップが、ＩＥＳＮＡタイプの前方投射分布を生み出す第２の反射体モジュールを選択することを構成する、請求項１９に記載の方法。
【請求項２１】
少なくとも第１の側部部材および第２の側部部材を備える側部部材のグループを提供する前記ステップが、第１の側部部材、第２の側部部材、および第３の側部部材を提供することを含み、第１の配光を生み出すために前記第１の側部部材の光源に関連付けるための第１の反射体モジュールを選択する前記ステップが、ＩＥＳＮＡタイプ５配光を生み出す第１の反射体モジュールを選択することを構成し、前記第１の配光とは異なる第２の配光を生み出すために前記第２の側部部材の光源に関連付けるための第２の反射体モジュールを選択するステップが、ＩＥＳＮＡタイプの前方投射分布を生み出す第２の反射体モジュールを選択することを構成し、ＩＥＳＮＡタイプの前方投射分布を生み出すために前記第３の側部部材の光源に関連付けるための第３の反射体モジュールを選択するステップをさらに含む、請求項１９に記載の方法。
【請求項２２】
前記照明器具からの光を受け取る、前記照明器具の下に位置しない前方投射領域を選択するステップと、前記第１の反射体モジュールを前記前方投射領域とは反対側に位置付けるステップとをさらに含む、請求項２１に記載の方法。
【請求項２３】
少なくとも１つの側部部材および第２の側部部材を備える側部部材のグループを提供する前記ステップが、第１の側部部材、第２の側部部材、第３の側部部材、および第４の側部部材を提供することを含み、前記第４の側部部材から配光を与えないステップをさらに含む、請求項２１に記載の方法。
【発明の詳細な説明】
【技術分野】
【０００１】
関連出願の相互参照
[0001]本出願は、２０１１年１１月１日出願の米国特許出願第１３／２８６，４００号の一部継続出願である、２０１２年２月１日出願の米国特許出願第１３／３６３，８９６号の一部継続出願である、２０１２年９月１７日出願の米国特許出願第１３／６２１，５１０号の利益を主張するものであり、前述の出願は、参照によって全体的に組み込まれる。
【０００２】
[0002]本開示は、一般に、領域をはっきりさせるために光を投じるための照明器具を対象とする。より詳細には、本開示は、照らされることが望まれない領域を回避しながら、照らされることが望まれる領域に効率的に光を指向させるように構築された照明器具を対象とする。本開示はまた、光源によって発生した熱を効率的に管理するための照明器具にも関する。本開示は、さらに、１つまたは複数の照明モジュールを備え、照明器具に設けられた光モジュールの数またはタイプに応じてさまざまな配光を生み出すことができる多用途の照明器具に関する。本開示は、追加的に、先に述べられた照明器具の多用途性を容易にするとともに、破損、摩耗、または期限切れの照明モジュールの簡単な取り換えを実現する、封止された照明モジュールに関する。
【背景技術】
【０００３】
[0003]本明細書において説明されるタイプの照明器具が必要とされる。
【発明の概要】
【課題を解決するための手段】
【０００４】
[0004]照明器具であって、１つまたは複数の側部部材と、側部部材の１つに関連付けられた１つまたは複数の光モジュールであって、１つまたは複数の光源と、１つまたは複数の光指向部材と、光源および指向部材をモジュール内に封入するレンズとを備え、光指向部材が、１つまたは複数の光源の少なくとも１つから発せられた光をレンズに対して垂直になるように再指向させる、光モジュールとを備える照明器具。少なくとも１つの光源は、ＬＥＤになることができる。光指向部材の１つまたは複数は、反射体になることができる。光指向部材の１つまたは複数は、光学レンズになることができる。側部部材は、くぼみを画定し、光モジュールは光をくぼみ内へと指向させる。側部部材は、熱放散フィンを備えることができる。任意選択では、天井部が、側部部材の各々の上側縁間を延びる。好ましくは、レンズは、側部部材の下側縁をわたして延びない。１つの実施形態では、照明器具は、４つの側部部材を有する。任意選択では、側部部材の少なくとも１つは、光モジュールを備えない。任意選択では、光モジュールの少なくとも２つは、異なる配光を投じるように構成される。光モジュールは、トレイを備えることができ、それにより、レンズはトレイに封止されて、水分がモジュールに入らないようにする。
【０００５】
[0005]照明器具であって、各々が内側面を有する４つの側部部材であって、内側面が、一方の端部上において閉じられたくぼみを画定する、側部部材と、側部部材の内側面の１つまたは複数に関連付けられた１つまたは複数の光モジュールであって、トレイと、トレイに取り付けられた１つまたは複数の光源と、光源の１つまたは複数に関連付けられた１つまたは複数の光反射体または光学レンズと、光源をモジュール内に封入し封止するレンズとを備え、光指向部材が、１つまたは複数の光源の少なくとも１つから発せられた光をレンズに対して垂直になるように再指向させる、光モジュールとを備える、照明器具。少なくとも１つの光源はＬＥＤになることができる。光モジュールは、側部部材と表面接触して熱を光モジュールから外方に導くことができる。側部部材の１つまたは複数は、熱放散フィンを備えることができる。くぼみは、側部部材の各々の上側縁間を延びる天井部によって一方の端部において閉じられ得る。好ましくは、レンズは、側部部材の各々の下側縁をわたして延びない。１つまたは複数の側部部材は、光モジュールを備えることはできない。光モジュールの１つまたは複数は、異なる配光を投じるように構成され得る。封止部が、トレイとレンズの間に存在してトレイを封止し、水分がモジュールに入らないようにすることができる。光モジュールは、側部部材から取り外し可能であることができる。
【０００６】
[0006]照明器具用の光モジュールであって、トレイと、トレイに関連付けられた１つまたは複数の光源と、光を光源から指向させるための１つまたは複数の光指向部材と、光源をモジュール内に封入し封止するレンズとを備え、光指向部材が、１つまたは複数の光源の少なくとも１つから発せられた光をレンズに垂直になるように再指向させる、光モジュール。光源はＬＥＤになることができる。光指向部材は反射体になることができる。光指向部材は、光学レンズになることができる。
【０００７】
[0007]照明器具内の光源に関連付けるための反射体モジュールであって、基部、上側反射体モジュール壁、および下側反射体モジュール壁を有して、長手方向の谷様形状を画定する巣部であって、基部が、光源開口の第１の列および光源開口の第２の列を画定する、巣部と、光源開口の第１の列と光源開口の第２の列の間に位置して、巣部内に第１の反射体谷部および第２の反射体谷部を画定するＵ字形状の長手方向仕切り板とを備える、反射体モジュール。長手方向仕切り板は、第１の反射体谷部に隣接する真っすぐな上側壁と、第２の反射体谷部に隣接する真っすぐな下側壁と、長手方向仕切り板の真っすぐな上側壁と長手方向の仕切り板の真っすぐな下側壁とを連結する真っすぐな稜部とを有することができる。基部は、さらに、光源開口の第３の列と、光源開口の第２の列と光源開口の第３の列との間に位置して、巣部内に第３の反射体谷部を画定する第２の長手方向仕切り板とを画定することができる。長手方向仕切り板は、Ｕ字形の開放端部が巣部の基部に向かって向けられるように反転され得る。長手方向仕切り板の第１の面は、光源開口の第１の列に向かって向けられる曲線を画定または近似することができる。反射体モジュールはまた、光源開口の１つまたは複数の隣接する対間に横断方向仕切り板を有することもでき、Ｕ字形状の長手方向仕切り板および上側反射体モジュール壁の近傍から延びることができる。横断方向仕切り板は、曲線を画定または近似する前面を備えて、隣接する光源開口内に位置する光源から発せられた少なくとも一部の光を光源開口の方向に戻すように指向させることができる。横断方向仕切り板は、巣部の基部に対して凡そ垂直に配向された凡そ真っすぐな面を備えることができる。
【０００８】
[0008]照明器具であって、光源と、各々が光源に関連付けるための反射体モジュールを備える１つまたは複数の側部部材であって、反射体モジュールが、基部、上側反射体モジュール壁、および下側反射体モジュール壁を備えて、長手方向の谷様形状を画定する巣部であって、基部が、光源開口の第１の列および光源開口の第２の列を画定する、巣部と、光源開口の第１の列と光源開口の第２の列との間に位置して、巣部内に第１の反射体谷部および第２の反射体谷部を画定する、Ｕ字形状の長手方向仕切り板とを備える、側部部材とを備える、照明器具。長手方向仕切り板は、第１の反射体谷部に隣接する真っすぐな上側壁と、第２の反射体谷部に隣接する真っすぐな下側壁と、長手方向仕切り板の上側壁と長手方向仕切り板の下側壁とを連結する真っすぐな稜部とを有することができる。基部は、さらに、光源開口の第３の列と、光源開口の第２の列と光源開口の第３の列との間に位置して、巣部内に第３の反射体谷部を画定する第２の長手方向仕切り板とを画定することができる。長手方向仕切り板は、Ｕ字形の開放端部が巣部の基部に向かって向けられるように反転され得る。長手方向仕切り板の第１の面は、光源開口の第１の列に向かって向けられる曲線を画定または近似することができる。照明器具はまた、光源開口の１つまたは複数の隣接する対間に、Ｕ字形状の長手方向仕切り板および上側反射体モジュール壁の近傍から延びる横断方向仕切り板を備えることもできる。横断方向仕切り板は、曲線を画定または近似する前面を有して、隣接する光源開口内に位置する光源から発せられた少なくとも一部の光を光源開口の方向に戻すように指向させることができる。横断方向仕切り板は、巣部の基部に対して凡そ垂直に配向された凡そ真っすぐな面を備えることができる。照明器具はまた、巣部の基部に対して凡そ垂直に配向された凡そ真っすぐな面を有する別の横断方向仕切り板を備えることもできる。
【０００９】
[0009]照明器具を製造する方法であって、（ａ）少なくとも第１の側部部材および第２の側部部材を備える側部部材のグループを提供するステップと、（ｂ）照明器具の配光パターンを選択するステップと、（ｃ）第１の配光を生み出すために第１の側部部材の光源に関連付けるための第１の反射体モジュールを選択するステップと、（ｄ）第１の配光とは異なる第２の配光を生み出すために第２の側部部材の光源に関連付けるための第２の反射体モジュールを選択するステップと、（ｅ）側部部材のグループの配光が組み合わさって選択された配光パターンを近似するように側部部材のグループを組み立てるステップとを含む、方法。第１の配光を生み出すために第１の側部部材の光源に関連付けるための第１の反射体モジュールを選択するステップは、ＩＥＳＮＡタイプ５配光を生み出す第１の反射体モジュールを選択することを構成することができ、第１の配光とは異なる第２の配光を生み出すために第２の側部部材の光源に関連付けるための第２の反射体モジュールを選択するステップは、ＩＥＳＮＡタイプの前方投射分布を生み出す第２の反射体モジュールを選択することを構成することができる。少なくとも第１の側部部材および第２の側部部材を備える側部部材のグループを提供するステップは、第１の配光を生み出すために第１の側部部材の光源に関連付けるための第１の反射体モジュールを選択するステップが、ＩＥＳＮＡタイプ５配光を生み出す第１の反射体モジュールを選択することを構成し、第１の配光とは異なる第２の配光を生み出すために第２の側部部材の光源に関連付けるための第２の反射体モジュールを選択するステップが、ＩＥＳＮＡタイプの前方投射分布を生み出す第２の反射体モジュールを選択することを構成し、ＩＥＳＮＡタイプの前方投射分布を生み出すために第３の側部部材の光源に関連付けるための第３の反射体モジュールを選択するステップをさらに含むとき、第１の側部部材、第２の側部部材、および第３の側部部材を提供することを含むことができる。方法は、さらに、照明器具からの光を受け取る、照明器具の下に位置しない前方投射領域を選択するステップと、第１の反射体モジュールを前方投射領域とは反対側に位置付けるステップとを含むことができる。少なくとも第１の側部部材および第２の側部部材を備える側部部材のグループを提供するステップは、第１の側部部材、第２の側部部材、第３の側部部材、および第４の側部部材を提供することと、第４の側部部材から配光を与えないステップを含むこととを含む。
【００１０】
[0010]本開示の態様および実施形態は、例示的な性質のものであり限定的とはみなされない添付の図と共に読み取ることにより以下の詳細な説明からより完全に理解され得る。図は、必ずしも原寸に比例せず、その代わり、本開示の原理に重きが置かれる。
【図面の簡単な説明】
【００１１】
【図１】[0011]その装飾特徴が図１から１４で示される、本開示による照明器具の斜視図である。
【図２】[0012]図１の照明器具の側面図である。
【図３】[0013]図１の照明器具の上面図である。
【図４】[0014]図１の照明器具の底面図である。
【図５】[0015]図１の照明器具の１つの側部部材の斜視図である。
【図６】[0016]図５の側部部材の分解図である。
【図７】[0017]図１の照明器具およびその中の１つの光源から生じる光線跡を示す断面図である。
【図８】[0018]図７の一部分を示す図である。
【図９】[0019]図１の照明器具の光源から生じる光線跡を示す図である。
【図１０】[0020]光線跡が光源から生じている状態の、図７の一部分を示す図である。
【図１１】[0021]図１の照明器具の反射体の斜視図である。
【図１２Ａ】[0022]図１１に示された反射体の代替の反射体の斜視図である。
【図１２Ｂ】[0023]図１２Ａに示された反射体の長手方向断面図である。
【図１２Ｃ】[0024]図１２Ａに示された反射体の横方向断面図である。
【図１２Ｄ】[0025]光トレイ跡を備えた、図１２Ａに示された反射体の一部分の長手方向断面図である。
【図１３】[0026]本開示の１つの装飾設計の第１の実施形態の斜視図である。
【図１４】本開示の１つの装飾設計の第１の実施形態の前面図である。
【図１５】本開示の１つの装飾設計の第１の実施形態の後面図である。
【図１６】本開示の１つの装飾設計の第１の実施形態の左側面図である。
【図１７】本開示の１つの装飾設計の第１の実施形態の右側面図である。
【図１８】本開示の１つの装飾設計の第１の実施形態の上面図である。
【図１９】本開示の１つの装飾設計の第１の実施形態の底面図である。
【図２０】[0027]本開示の装飾設計の第２の実施形態の斜視図である。
【図２１】本開示の装飾設計の第２の実施形態の前面図である。
【図２２】本開示の装飾設計の第２の実施形態の後面図である。
【図２３】本開示の装飾設計の第２の実施形態の左側面図である。
【図２４】本開示の装飾設計の第２の実施形態の右側面図である。
【図２５】本開示の装飾設計の第２の実施形態の上面図である。
【図２６】本開示の装飾設計の第２の実施形態の底面図である。
【図２７】[0028]図１に示された照明器具の代替の実施形態の反射体の斜視図である。
【図２８】[0029]図２７に示された反射体の遮光板部分の斜視図である。
【図２９】[0030]図２８に示される遮光板の断面図である。
【図３０Ａ】[0031]図２７の代替の実施形態の反射体を有するときの図１の照明器具の光源から生じる光線跡を示す図である。
【図３０Ｂ】図２７の代替の実施形態の反射体を有するときの図１の照明器具の光源から生じる光線跡を示す図である。
【図３１Ａ】[0032]第１の反射体モジュールの斜視図である。
【図３１Ｂ】図３１Ａの反射体モジュールの上面図である。
【図３１Ｃ】図３１Ｂの３１Ｃ−３１Ｃで切り取られた断面図である。
【図３２Ａ】[0033]第２の反射体モジュールの実施形態の斜視図である。
【図３２Ｂ】図３２Ａの反射体モジュールの上面図である。
【図３２Ｃ】図３２Ｂの３２Ｃ−３２Ｃで切り取られた断面図である。
【図３２Ｄ】図３２Ｂの３２Ｄ−３２Ｄで切り取られた断面図である。
【図３３Ａ】[0034]第３の反射体モジュールの実施形態の斜視図である。
【図３３Ｂ】図３３Ａの反射体モジュールの上面図である。
【図３３Ｃ】図３３Ｂの３３Ｃ−３３Ｃで切り取られた断面図である。
【図３３Ｄ】図３３Ｂの３３Ｄ−３３Ｄで切り取られた断面図である。
【図３３Ｅ】図３３Ｂの下方投射横断方向仕切り板の断面図である。
【図３４Ａ】[0035]第４の反射体モジュールの実施形態の斜視図である。
【図３４Ｂ】図３４Ａの反射体モジュールの上面図である。
【図３４Ｃ】図３４Ｂの３４Ｃ−３４Ｃで切り取られた断面図である。
【図３４Ｄ】図３４Ｂの３４Ｄ−３４Ｄで切り取られた断面図である。
【図３４Ｅ】図３４Ｂの長手方向仕切り板の断面図である。
【図３５Ａ】[0036]第５の反射体モジュールの実施形態の斜視図である。
【図３５Ｂ】図３５Ａの反射体モジュールの上面図である。
【図３５Ｃ】図３５Ｂの３５Ｃ−３５Ｃで切り取られた断面図である。
【発明を実施するための形態】
【００１２】
[0037]図に示される実施形態は、例示的なものにすぎない。本明細書において説明されるが図に示されない実施形態を含む、図に示される実施形態の変形形態が、本開示の範囲内で考案され、実施され得る。
【００１３】
[0038]本開示の態様および実施形態は、照明器具およびその要素を提供する。本開示による照明器具は、新規の設置のために、または既存の照明器具またはその要素を取り換えるために使用され得る。そのような照明器具および照明要素の使用は、既存の技術と比較して、エネルギーおよび維持管理の低減、ならびに設置時間およびコストの低減をもたらすことができる。本開示の照明器具および要素の多用途性はまた、製造および在庫のコストの縮小、ならびにエンドユーザが照明器具を現場で改良し、適合させ、または修理することができる能力により、そのような照明器具の製造者、設置者、およびエンドユーザに効率性をもたらす。
【００１４】
[0039]好ましい実施形態は、光源として発光ダイオード（「ＬＥＤ」）を使用するが、他の光源が、本開示の範囲内で、ＬＥＤに加えてまたはＬＥＤの代わりに使用されてよい。例にすぎないが、プラズマ光源などの他の光源が使用されてよい。さらに、用語「ＬＥＤ」は、有機発光ダイオードまたは「ＯＬＥＤ」を含む発光ダイオードのすべてのタイプを指すよう意図されている。
【００１５】
[0040]図に示される照明器具は、全般的に、屋内または屋外の領域の照明から利益が得られるあらゆる用途に適用可能であるが、１つの例では、駐車場およびガレージへの適用に良好に適合される。他の実施形態では、本開示の教示は、たとえば街路照明に適用可能である。
【００１６】
[0041]図１は、本開示による照明器具１００の斜視図を示す。装着ブラケット１０２が、たとえば、建物の壁に装着するために照明器具１００から延びる。ポールの頂部などの他の適用および対応する装着が企図され、この場合１つまたは複数の照明器具１００が、装着されてよい。照明器具１００はまた、（図示されるように）下方向に向けて、または光を天井部に向かって投じるために上方向に向けて天井部から吊り下げられ得る。
【００１７】
[0042]図１に示される照明器具１００は、４つの側部１０４から構成され、これら側部は、（正方形として示される）矩形形状で配置されて４つの側部１０４の内側面によって画定された内部くぼみ１０６を作り出す。４つの側部１０４の各々の内側面は、光ベイ１０８を備える。４つの側部１０４の各々の内側面は、これらが下方向に延びるにつれて外方向に角度付けられ、光ベイ１０８によって投じられた光をくぼみ１０６に向かって内方向に、および照らされる目標領域に向かって下方向に指向させる。代替の実施形態では、内側面は角度付けされず、光ベイ１０８から発せられた光は、光源、反射体もしくは光学素子またはその任意の組み合わせの配向などによって角度を付けて下方向に指向される。
【００１８】
[0043]照明器具１００は、さらに、くぼみ１０６の上部を閉じる天井部１１０を備える。任意選択では、屋根１１２（たとえば図７を参照されたい）が、天井部の上方で４つの側部１０４間を延びてくぼみ１０６を風、雨、雪、または他の気候要素から保護することができる。
【００１９】
[0044]４つの側部１０４の１つまたは複数は、熱放散特徴１１４を有して、対流および／または放射による周辺環境への熱放散を増大させることができる。図示される照明器具１００では、熱放散特徴１１４は、複数のフィン１１６から構成される。各々のフィン１１６は縦方向に延び、それにより、表面積の大部分を含むその対向する面の各々によって画定された平面は、地上、床部、または照らされることが望まれる領域に対して垂直になる。この配向では、照明器具１００は、周辺の上方向空気流が、照明器具から周囲空気への熱の放散によってより暖かい空気が上昇することによって引き起こされることを利用する。すなわち、フィン１１６の縦方向の配向は、空気の上方向の流れがフィンの表面積の大部分上を通過するようにして、周囲環境への対流熱伝達を増大させる。
【００２０】
[0045]照明器具１００の各々の側部１０４は、その長さに沿って曲線的な外側側部１１８を備える。図示されるように、複数の熱放散フィン１１６の各々は、外側側部１１８の内方向の地点に位置する基部から、外側側部１１８に位置する先端部まで延び、先端部は、側部１０４の残りの部分と同じ曲線的な形状を備える。フィン１１６が深く延びるほど、作り出される熱伝達表面積が大きくなる。フィンの数およびサイズ（たとえば深さ）が、発生させるルーメンの必要性およびこれらのルーメンを作り出すために発生させる熱の対応する量に応じて照明器具の必要性に適合させるように変更され得ることが、当業者によって理解される。光源のタイプおよびその熱に対する感度もまた、この算出に盛り込まれる。たとえば、ＬＥＤは、低温で作動されるときにより効率的に作動し、より長い寿命を有する。したがって、最大の冷却能力が、１つまたは複数のＬＥＤを光源として用いる照明器具に望まれ得る。
【００２１】
[0046]１つの実施形態では、図示される照明器具１００は、（図５および６に示され、図７〜８および１０では断面で示される）４つの側部部材１２０から構成され、その各々は、照明器具１００の４つの側部１０４の１つを構成する。この実施形態では、各々の側部部材１２０は、対向する端部１２２を有する。図示される側部部材１２０の端部１２２は平坦であり、側部部材１２０の長さに対して４５°で角度付けられ、それにより、４つの側部部材１２０が、端１２２と端１２２を合わせて置かれたとき、４つの側部部材１２０は、矩形の（正方形として示される）照明器具１００を構成する。各々の端部１２２を４５°の角度でこのようにして構築することにより、４つの同一の側部部材から正方形の照明器具１００を作り出し、２つの同一の長い方の側部部材および２つの同一の短い方の部材から正方形ではない矩形の照明器具を作り出すことができるという利点がもたらされる。当然ながら、本開示の照明器具の他の特徴を達成するために、他の角度が使用され得る。
【００２２】
[0047]側部部材１２０は、その端部１２２において一方から他方に固定される。１つの実施形態では、端部は、任意の知られている方法でその端部１２２内の穴を通して互いにボルト留めされる。たとえば、介在ブラケットを含む、端部１２２を互いに固定する他の方法もまた、企図される。他の実施形態では、端部１２２は平坦ではなく、その代わり突出部および／または相補的なへこみ部（図示されず）を有して、側部部材１２０を互いに適正に位置合わせさせ、それによってより見栄えのよい照明器具を実現し、照明器具からの適正な配光のための光源の適正な配置および配向が確実にされる。
【００２３】
[0048]側部部材１２０は、鋳造の折り畳まれた金属薄板または他の構造のものになることができ、１つの実施形態では、側部部材１２０は、鋳造アルミニウムである。
[0049]図示される実施形態では、側部部材１２０は、照明器具１００に組み付けられたときにくぼみ１０６を向く面１２６内に光モジュールくぼみ１２４を備える。光モジュールくぼみ１２４は、照明器具１００の光ベイ１０８を提供する光モジュール１２８を収容する。一緒に組み立てられたとき、側部部材１２０は、面１２６が、下方向に延びるにつれて外方向に角度付くように構成される。これは、以下でより詳細に論じられるように、光モジュールから発せられた光を所望の方向に指向させることを助ける。また、この結果、側部部材１２０の面１２６は、底部ではより広く、上部ではより狭い台形面を有する。
【００２４】
[0050]図示される光モジュール１２８は、下側縁１３０および上側縁１３２と、左縁および右縁１３４とを有するトレイとして構成される。側部部材面１２６の使用を最大限にするために、光モジュール１２８は、上側縁１３２より長い下側縁１３０と、台形形状に角度付けられた左側部および右側部１３４とを有する台形のものである。光モジュール１２８は、その前部において左側部および右側部１３４から延びるフランジ１３６を備える。光モジュールの下側縁１３０、上側縁１３２、ならびに左縁および右縁１３４は、フランジ１３６の後方向を延びて光ベイを収容する光ベイ空洞１３８を囲む。フランジ１３６は、光モジュール１２８を側部部材面１２６内の穴１４４を介して側部部材１２０に固定することを可能にするねじ１４２または同様のものを受け入れるための開口１４０を備える。１つの実施形態では、光ベイ空洞の背側は、光モジュールくぼみ１２４の前面１４６とほぼ同じ形状のものであり、それによって、それらの間の表面接触を最大限にして、光モジュールから熱放散特徴１１４、１１６を含む側部部材１２０への最大限の熱伝達を可能にする。フィンまたは他の表面積を増大させるフィーチャが、光モジュール１２８の背部に存在し、相補的な受け入れフィーチャを側部部材の前面１４６上に存在させて、これら２つの表面積接触を増大させることができることが企図される。
【００２５】
[0051]光モジュール１２８の光ベイ空洞１３８は、光モジュール１２８の下側縁１３０、上側縁１３２、および側縁１３４によって取り囲まれた基部１４８（図８を参照されたい）を備える。光モジュール１２８の前部は、光モジュール１２８の前部においてレンズ１５２を受け入れるくぼみ１５０を画定する。空洞１５４が、レンズ１５２が光モジュール１２８と整合するところに形成されてよく、それによってレンズガスケットが、光ベイ空洞１３８を封止して、水分、汚れなどが入ることを防止することを実現する。この構成では、光モジュール１２８は、すばやく簡単な取り付けのために、照明器具１００の残りのものとは別々に製造され、在庫され、および／または発送され得る自己格納型光モジュールである。１つの実施形態では、空洞１５４には、レンズ１５２を光モジュールトレイに接着するとともにこれらの２つの間に封止部を作り出すガスケット式接着がもたらされ得る。
【００２６】
[0052]代替の光モジュール構成では、レンズは、光モジュールが光モジュールくぼみ内に置かれ、次いで、レンズおよびフランジが、光モジュールの残りの部分を覆ってガスケット空洞内のガスケットに対してねじ付けられて光モジュール全体を光モジュールくぼみ内に固定するようにフランジに固定される。
【００２７】
[0053]印刷回路基板（「ＰＣＢ」）１５６が、光ベイ空洞基部１４８上に装着され、複数のＬＥＤ１５８を提供する。ＬＥＤ１５８は、３列になるように位置合わせされる。図示される実施形態は、単一ＰＣＢ１５６上にすべてのＬＥＤ１５８を示すが、他の構成が、本開示の範囲内で企図される。
【００２８】
[0054]光モジュール１２８は、さらに、ＬＥＤの各列を覆う反射体１６０を備えて、ＬＥＤ１５８から発せられた光を指向させる。図９は、図７〜８に示される反射体の断面図を示し、図１０は、図７の１つの側部部材１２０内の反射体１６０の拡大図を示す。図１１は、照明器具１００の他の要素から分離された図９の反射体１６０の斜視図を示す。図示される実施形態では、反射体１６０は、開口１６４を画定する一連の穴を備えた基部を備え、基部１６２がＰＣＢ１５６上に置かれたとき、ＬＥＤ１５８はその開口１６４から突起する。タブ１７８が、基部から延び得て、反射体１６０を光モジュール１２８に固定するのを助けることができる。第１および第２の部材１６６、１６８が、反射体基部１６２の対向する側部から延びる。第１および第２の部材１６６、１６８の各々は、基部１６２から延びる真っすぐな近位の角度付けされた部分１７０と、近位の角度付けされた部分１７０から延びる真っすぐな遠位の角度付けされた部分１７２とを備える。第１および第２の部材１６６、１６８の近位および遠位の部分１７０、１７２は、ＬＥＤ１５８から発せられた光を所望に応じて指向させるように構成される。異なる角度または曲率のより多いまたはより少ない部分が、所望の配光を達成するために使用され得ることが企図される。反射体１６０に加えて、またはその代わりに、光学レンズが、所望の配光を達成するために使用され得ることが企図される。
【００２９】
[0055]図９に示されるように、図示される反射体１６０は、反射体１６０の近位の角度付けされた部分１７０を、ＰＣＢによって画定された平面から６０°の角度ａに配向し、第２の角度付けされた部分１７２を、その平面から７１°の角度ｂに配向する。さまざまな異なるタイプのＬＥＤ（たとえば、Ｎｉｃｈｉａ  ＮＶＳＷ２１９Ａなどの、ランバート分布をもたらす任意のＬＥＤ）と併用されるとき、この反射体構成は、ＬＥＤ１５８から発せられた光を平行にし、それにより、ＬＥＤ１５８から発せられた光のすべてまたはほぼすべてが、ＰＣＢ１５６に対してほぼ垂直に反射体１６０を離れ、これは、図９の光線跡によって示される。これらまたは異なるＬＥＤから発せられた光を平行にする他の方法もまた、企図される。
【００３０】
[0056]上記で論じられたように、図示される光モジュールは、台形状を有する。この形状では、許容空間内で利用可能な光源１５８、したがってルーメン能力を最大限するために、光源１５８および対応する反射体の列は、光モジュール１２８の台形状の底部ではより長くなる。それにしたがって、反射体１６０は、上列から底列にかけて長さが増大するものになる。
【００３１】
[0057]これらの反射体１６０が光モジュール１２８内に組み込まれたとき、レンズ１５２は、好ましくは、光モジュール基部１４８、したがってＰＣＢ１５６に対してほぼ平行であり、それにより、反射体１６０を出る光線は、図１０に示されるように、レンズ１５２によって画定された平面に対して凡そ垂直にレンズ１５２に到達する。光線を、レンズが画定する平面に対して凡そ垂直にレンズ１５２に届くように指向させることにより、レンズ１５２によるそのような光線の内部反射がかなり低減される。したがって、光モジュール１２８の構成は、レンズ１５２における内部反射によるルーメン損失をかなり低減する。光モジュールは、工場で組み立てられるモジュールであるため、内部反射の低減または解消は、光モジュール１２８の全使用期間にわたって保証され、そのような光モジュール１２８を備えるいかなる照明器具も、結果として効率性が向上されるとみなされる。
【００３２】
[0058]図示される実施形態では、光モジュール１２８のレンズ１５２は、図８に示されるように水平面から約６５°の角度ｃで角度付けられる。レンズを照明器具の最も下側の部分をわたして水平に置くことが一般的である。本明細書で開示された照明器具上では、そのようなレンズは、側部部材の最も下側部分をわたして、それらの間を延びる。そのような構成では、光モジュール１２８を離れる平行にされた光線は、約６５°の角度でそのような水平レンズに届く。そのような入射角度では、光線の約１０％がレンズから反射され、これらの光線を照明器具の内側に維持し、したがってルーメン出力を１０％カットし、エネルギーの不効率性を生み出すと考えられる。照明器具１００は、平行にされた光線が垂直に通過する光モジュール１２８のレンズ１５２以外はいかなるレンズも備えず、したがって、内部反射によるルーメン損失を最小限に抑え、エネルギー効率性を最大限にする。
【００３３】
[0059]光モジュール１２８を自己格納型の、事前組み立てモジュールとして構築することにより、光モジュール１２８は、通常は照明器具において最も壊れやすい要素である光モジュール１２８内に格納されたこれらの要素無しで、照明器具の組み立ておよび設置を可能にする。たとえば、照明器具は、光モジュール１２８だけを設置しないままにして組み立てられ、所定位置に装着され得る。光モジュール１２８は、次いで、光モジュール１２８およびその要素の完全性を失わないように配線され所定位置にねじ付けられ得る。加えて、光モジュール１２８の自己格納型の事前組み立ての特性は、光モジュール１２８の１つまたは複数が損傷した場合、たとえばＬＥＤ１５８の故障または期限切れの場合の簡単な取り換えを可能にする。光モジュール１２８の使用はまた、より新しい、より良好な、または別の形の異なるＬＥＤまたは他の光源がその後開発されまたは望まれるときに、ＬＥＤ１５８を改良することも可能にする。
【００３４】
[0060]図７に戻れば、ＬＥＤ１５８に電力を供給する配線（図示されず）が、光モジュール１２８を出て、好ましくは上側縁１３２を通って延びることができる。側部部材１２０内に設置されたとき、光モジュール１２８の上側縁１３２は、側部部材１２０の上側口部１７４に隣接して留まる。穴（図示されず）が上側口部１７４内に設けられて、配線がそこを通って天井部１１０と屋根１１２の間に画定された空間１７６内へと延びることを可能にし、ここでは、配線は、照明器具１００内の光モジュール１２８の各々に電力を供給するために存在する。ドライバおよび／またはバラスト（図示されず）もまた、この空間１７６に位置することができる。
【００３５】
[0061]図示される照明器具１００は、各々が同じ光モジュール１２８を有する、４つの同じ側部部材１２０を備えて構成される。図７に示されるように、４つの側部部材１２０は、天井部１１０と共にくぼみ１０６を形成する。光モジュール１２８は、くぼみ１０６に向かって内方向を向いて側部部材１２０上に位置する。図８に示されるように、側部部材１２０内の光モジュールくぼみの前面１４６は、好ましくは、水平面と共に約６５°の角度ｃを形成し、それにより、光モジュール１２８から発せられた光線は、約６５°で水平下に投影される。光モジュール１２８面は、くぼみ１０６に向かって内方向に向いているため、側部部材１２０は、所望の角度ｃ（図示される実施形態では６５°）で各々の光モジュール１２８から発せられたすべての光線が、照明器具の対向する側をよけることを可能にするのに十分な長さのものであることが好まれる。すなわち、側部部材１２０の長さは、好ましくは、光モジュールから発せられた最も上側の光線が、図７に示されるように、対向する側部部材１２０の最も下側の部分をよけるのに十分な大きさである。図示される実施形態の側部部材は、その面の下側縁１８０に沿って５７．９１ｃｍ（２２．８インチ）およびその面の上側縁１８２に沿って４６．４８ｃｍ（１８．３インチ）の長さを有し、このとき面は、先に論じられたように水平面から６５°にあり、このとき最も上側のＬＥＤ１５８は、側部部材面の下側縁１８０の９．９１ｃｍ（３．９インチ）上方に位置する状態である。この構成では、４つの光モジュール１２８の各々によって発せされた光線のほぼすべてが、対向する側部部材１２０の下側縁１８０をよけ、ＬＥＤ１５８によって発せられた光のほぼすべてが、照明器具１００から離れる。
【００３６】
[0062]図示される構成では、照明器具１００は、タイプＶ配光として、Ｉｌｌｕｍｉｎａｔｉｎｇ  Ｅｎｇｉｎｅｅｒｉｎｇ  Ｓｏｃｉｅｔｙ  ｏｆ  Ｎｏｒｔｈ  Ａｍｅｒｉｃａ（北米照明学会）（「ＩＥＳＮＡ」）によって規定された配光を与える。上記で説明された利益に加えて、本明細書において開示される照明器具１００における光モジュール１２８の使用は、本明細書において別の形で説明されるように、より少ないおよび／またはより多い１つまたは複数の異なる光モジュールを照明器具１００において使用することによってさまざまな配光を与えることを容易にする。たとえば、図示される照明器具１００は、ＩＥＳＮＡタイプＶ配光を近似する配光パターンをもたらすが、同じ照明器具は、光モジュール１２８の１つまたは複数を取り外し、またはより小さいもしくはより大きいルーメンを発する、または異なる反射体構成および／または光学レンズを使用することによって光線を異なる方向に発する光モジュールと取り換えることによって異なる配光を近似することができる。
【００３７】
[0063]１つの例では、光モジュール１２８を１つの側部部材１２０から取り外すことにより、一般的に「前方投射」分布と称されるＩＥＳＮＡタイプＩＶ配光を近似する３方向に光を発する照明器具が作り出される。この例示的な構成は、３つの側部部材１２０を光モジュール１２８を有したままにし、１つの側部部材１２０は、光モジュール１２８を有さない。光モジュール１２８を有さない１つの側部部材１２０を前方投射の方向に置くことにより、対向する側部部材１２０の光モジュール１２８は、前方投射方向に光を投じ、２つの隣接する側部部材１２０の光モジュール１２８は、前方投射方向とは横断方向の２つの方向に光を投じて、ＩＥＳＮＡタイプＩＶ配光を近似するＴ様配光を作り出す。また、追加のＬＥＤが前方投射方向に光を投じる光モジュールに追加されてルーメン出力を増大させることができ、これより少ないＬＥＤが横断方向に光を投じる光モジュールに追加されてルーメン出力を低下させて、配光をＩＥＳＮＡタイプＩＶ分布または他の望ましい分布により近付けるように必要に応じてまたは所望に応じて配光を調整することができる。あるいは、ＬＥＤの数は、同じままであることができるが、それぞれの光モジュールのＬＥＤは、ルーメン出力を所望に応じて増加または低下させるように異なって駆動される。
【００３８】
[0064]改変された光モジュール１２８の１つの例では、上記で説明された前方投射構成の横断方向に光を投じる２つの側部部材１２０の光モジュールは、反射体１６０の一部またはすべてを、図１２Ａ〜１２Ｃに示される代替の反射体１８４に取り換えることによって改変され、この代替の反射体１６０は、断面の代替の反射体１８４およびこれが生み出す光線跡を示す図１２Ｄによって示されるように配光に影響を及ぼす。図示される代替の反射体１８４は、反射体１６０とあらゆる点で同じであるが、追加の前方投射仕切り板１８６が、開口から突起するＬＥＤ１５８から発せられた光の一部を再指向させるために開口間１６４に位置する。図示される実施形態では、前方投射仕切り板１８６は、すべて同じ形状のものであり、成形された金属薄板から構築される。より具体的には、前方投射仕切り板は、基部１６２’から上方向に側部１８８に沿って角度付けされた第１の部材１６６’と第２の部材１６８’の間を延びて近位および遠位置の角度付けされた部分１７０’、１７２’の角度と適合する。各々の前方投射仕切り板１８６は、さらに、前面１９０および後面１９２を有する。前面１９０は、真っすぐな近位の角度付けされた部分１９４と、真っすぐな近位の角度付けされた部分１９４から前方投射仕切り板１８６の先端部１９８まで延びる遠位の角度付けされた部分１９６とを備える。図示される実施形態では、近位の角度付けされた部分１９４は、基部１６２’からｘの角度（好ましくは９０°）で延び、遠位の角度付けされた部分１９６は、基部１６２’からｙの角度（好ましくは７５°）で延びる。後面１９２は、基部１６２’からｚの角度（好ましくは４５°）で延びる。先端部１９８は、好ましくは、基部１６２’から１．３５ｃｍ（０．５３インチ）延び、近位の角度付けされた部分は、好ましくは、基部１６２’から０．５３ｃｍ（０．２１インチ）延びる。この構成では、光は、ＬＥＤ１５８から発せられた光線跡を示す図１２Ｄに示すように指向され、前方投射仕切り板１８６の前面１９０および後面１９２によって再指向される。前面１９０の近位および遠位の角度付けされた部分の角度ｘおよびｙは、代替の前方投射反射体１８４が、光を横断方向に投じる側部部材１２０の光モジュール１２８内の３つすべての反射体に対して使用されるとき、十分な数の光線を前方投射方向に再指向させてその方向に十分なルーメンを投じ、ＩＥＳＮＡタイプＦＴ配光を作り出す。すなわち、前方投射仕切り板１８６は、横断方向に向かっている光線の一部を、前方投射方向に向かって指向させる。再指向された光線は、いくらかのルーメンが内部反射によって損失するような角度でレンズ１５２に届くが、ＬＥＤ１５８から発せられた光出力の多くは、依然としてレンズ１５２に対して凡そ垂直にレンズ１５２に届く。
【００３９】
[0065]先に説明された実施形態における一部の光は、照明器具１００の真下、ならびにこれに隣接する領域に投影されるが、照明器具１００の一部の用途では、先に開示された実施形態によって発生したものと比べて、ＬＥＤ１５８などの光源によって発生した光のより多くの部分を、照明器具１００の真下の目標領域に下方向に指向させることが望ましくなり得る。より多くの光を照明器具１００の真下の目標領域に下方向に指向させることは、たとえば、角度ｃを低減する、反射体１６０または１８４の構成を変更する、および／または光源に光学レンズを追加することによって達成され得る。照明器具１００の真下の目標領域に指向される光の量は、図２７から３０に例示的な実施形態が示される、代替の反射体の実施形態２００によって増大し得る。
【００４０】
[0066]図示される代替の反射体２００は、反射体１６０とあらゆる点において同じであるが、追加の遮光板２０２が位置し、ＬＥＤ１５８から発せられた光の一部を、照明器具１００の真下の領域に向かって下方向に再指向させるように構成される。図示される実施形態では、遮光板２０２は、再指向部分２０４および連結延長部２０６から構成される。再指向部分は、第１および第２の部分２１０、２１２から構成される。連結タブ２０８が遮光板２０２から延び、反射体２００の第１の部材１６６”または第２の部材１６８”の１つ内の開口を通って挿入される。見ることができるように、たとえば、図３０Ａおよび３０Ｂでは、遮光板の第１の部分２１０は、反射体２００の第１の部材１６６”と共に比較的小さい角度を作り出し、第１の部分２１０に対して角度を付けて延びる遮光板の第２の部分２１２と接触するまでほぼ平坦な形で延びる。１つの実施形態では、第１の再指向部分２１０は、反射体基部１６２”と共に８４°の角度「ｆ」を作るように構成され、第２の再指向部分２１２は、反射体基部１６２”と共に６８°の角度「ｇ」を作るように構成され、その結果、第１の再指向部分２１０は、３１°の角度で下方向に、照明器具１００の側部部材の下側縁１８０によって画定された平面まで延び、一方では、第２の再指向部分２１２は、その平面に対して４７°の角度で延びる。１つの実施形態では、平面は水平であり、これは、照らされる照明器具１００の真下の目標領域に対して平行になり得る。
【００４１】
[0067]代替の実施形態では、第１および第２の再指向部分２１０、２１２は湾曲され得、第１および第２の部分２１０、２１２は、単一の連続曲線を形成することができる。遮光板２０２の第１および第２の再指向部分２１０、２１２は、反射体の第１の部材１６６”から内方向に延びて、光源によって発せられた光の通路に入る。反射体の第１の部材１６６”は、反射体２００の壁の最も上側にあるため、遮光板は、第１の１６６”から下方向に延び、それにより、ＬＥＤ１５８から発せられた光を、照明器具１００の真下の領域に向かって下方向に指向させる。図３０Ａおよび３０Ｂは、遮光板２０２を含む反射体２００によって指向される、ＬＥＤ１５８から発せられた光の通路を近似する光線跡を示す。
【００４２】
[0068]照明器具１００の真下の領域に指向される光の量は、遮光板２０２の第１および第２の再指向部分２１０、２１２が、光源から発せられた光に対して作り出す角度によって決まり、これは、開示された実施形態のＬＥＤ光源の場合、これらの部分２１０、２１２が、ＬＥＤがその上に作り出されまたは装着されるＰＣＢに対して平行である反射体基部１６２”と共に作る角度によって参照され得る。これらの角度は、図示される実施形態に関しては上記で開示される。照明器具１００の真下の領域に指向される光の量はまた、光源の広がりに対する遮光板２０２の長さによって決まり、またはＬＥＤまたは他の地点源の場合、そのような地点源が反射体２００’に沿って延びる長さによって決まる。図示される実施形態では、遮光板２０２は、反射体全体２００より短く、ＬＥＤは、その長さの殆どを反射体に沿って延び、遮光板２０２は、反射体２００の全長に沿って延びる遮光板よりも少ない光を再指向させる。１つの実施形態では、遮光板２０２は、反射体２００の長さの約半分に沿って延びる。遮光板２０２は、反射体１６０と同一の反射体において使用されるように示されるが、例にすぎないが、前方投射仕切り板１８６を備えた代替の反射体１８４などの他の構成の反射体に対して使用されてもよい。
【００４３】
[0069]遮光板連結部分２０６は、再指向部分２０４の場所を固定するのを助ける。しかし、遮光板連結部分２０６は、再指向部分２０４が、これが動かないようにして反射体に剛性に固定され、遮光板２０２がそれ自体、その形を維持するのに十分な剛性を有する場合は解消され得る。加えて、遮光板２０２またはその再指向部分２０４は、反射体２００の残りの部分と一体化され得る。１つの例示的な実施形態では、反射体の第１の部材１６６”またはその一部分は、遮光板再指向部分２０４を模倣するように内方向に再配置され得る。再指向部分２０４の長さが反射体２００の長さより短い場合、反射体の第１の部材１６６”は、遮光板２０２を備えた反射体２００を近似するように曲げられまたは形成され（たとえば型成形され）得る。
【００４４】
[0070]１つの例示的な実施形態では、遮光板２０２は、先に説明されたような照明器具１００において先に説明されたような反射体１６０と共に使用される場合、以下の角度および寸法から構成される：ａ”＝０．８６ｃｍ（０．３４インチ）、ｂ”＝０．８９ｃｍ（０．３５インチ）、ｃ”＝４９°、ｄ”＝０．９４ｃｍ（０．３７インチ）、ｅ”＝１６°。
【００４５】
[0071]別の実施形態では、光モジュール１２８の１つまたは複数は、単独で、または反射体１６０、１８４と併用する反射体モジュールを含むことができる。１つのそのような反射体モジュールは、図３１Ａ〜３１Ｃに反射体モジュール３００として示される。反射体モジュール３００は、ＬＥＤ１５８から生じる光を指向させるためにこれらのＬＥＤ１５８の２つの列に関連付けられるように構成されるが、ＬＥＤの１列、３列、４列、またはそれ以上の列に関連付けられるようにも構成され得る。反射体モジュール３００は、基部３０２と、その上側端部から延びる上側反射体モジュール壁３０４と、その下側端部から延びる下側反射体モジュール壁３０６とを備える。用語「上側」および「下側」は、反射体モジュール３００（および以下の他の反射体モジュールの実施形態）の要素を、本明細書において説明される光モジュール１２８の意図される環境におけるその反射体モジュール３００の配向および照明器具１００内のその配向によって説明するために使用される。しかし、反射体モジュールは、本発明の範囲から逸脱することなく別の形で配向（たとえば水平に）されてもよい。基部３０２は、これが関連付けられるＬＥＤ１５８の２列を収容するために２本の線になるように位置合わせされた複数の開口３２２を画定する。基部３０２は、さらに、４つの装着開口３２０を画定して、知られている手段による光モジュール１２８への反射体モジュール３００の締め付けを容易にする。装着開口３２０の他の数、または光モジュール１２８に装着する他の手段がまた、企図される。好ましい実施形態では、巣部３０１は、１枚の金属薄板から一体的に構成されて谷様形状を形成する。図示される実施形態では、この谷様構成は、Ｕ字形を近似する。この形状は、第１の端部キャップ３１６および第２の端部キャップ３１８によって閉じられる開放端部を残している。反射体モジュール３００および本明細書で説明される任意の他の反射体モジュールの実施形態は、任意選択で、上側壁３０４に装着された遮光板２０２を有する。
【００４６】
[0072]図３１Ｂに最適に示されるように、図示される反射体モジュール３００の周囲は、対応する形状の光モジュール１２８に嵌合するために台形として形作られる。したがって、この台形状によって示されるように、ＬＥＤ開口３２２の上側列は、ＬＥＤ開口３２２の下側列より少ない開口を有する。この形状はまた、反射体モジュール上側壁３０４が、反射体モジュール下側壁３０６より短く、第１の端部キャップ３１６および第２の端部キャップ３１８が、上側／下側壁３０４、３０６と共に角度を形成することも示す。他の周囲形状、したがって相対的長さ、角度などもまた、企図される。
【００４７】
[0073]反射体モジュール３００は、さらに、ＬＥＤ開口３２２の２列を互いから分割する場所に、基部３０２および／または第１および第２の端部キャップ３１６、３１８に固定された長手方向仕切り板３０８を備える。長手方向仕切り板３０８は、稜部３１４によって分離された上側壁３１０および下側壁３１２を備える。図示される実施形態では、仕切り板３０８は、凡そ反転されたＵ字形で構成され、巣部３０１を２つの反射体谷部３２４、３２６に分離するように位置し、反射体谷部の各々は、反射体１６０によってもたらされるのと同じ構成および反射特性を有し、その結果同じ配光を生じさせる。特に、反射体モジュール３００の基部３０２は、各々の反射体谷部３２４、３２６に基部１６２を与え、反射体モジュール３００の上側壁３０４もまた、近位の角度付けされた部分１７０および遠位の角度付けされた部分１７２を画定し、一方で仕切り板の上側壁は、対応する近位の角度付けされた部分１７０および遠位の角度付けされた部分１７２を画定して上側反射体谷部３２４を画定し、反射体モジュール３００の下側壁３０６は、近位の角度付けされた部分１７０および遠位の角度付けされた部分１７２を画定し、一方で仕切り板の下側壁３１２は、対応する近位の角度付けされた部分１７０および遠位の角度付けされた部分１７２を画定して、下側反射体谷部３２６を画定する。上側反射体谷部３２４および下側反射体谷部３２６の構成は、先に説明され、たとえば、例示的な寸法およびそれに関連付けられた角度を含む図９に示されるような反射体１０６の構成と各々が凡そ同じであり、凡そ同じ反射特性および配光をもたらす。
【００４８】
[0074]反射体モジュール３００は、複数の個々の反射体１６０と置き換わる反射体組立体を提供する。図示される実施形態では、反射体モジュール３００は、２つの個々の反射体１６０と置き換わる。反射体モジュール３００は、したがって、組み立てのための要素を減少させ、組み立て時間も比例して短くする。反射体モジュール３００はまた、反射体の安定性の向上を提供する。
【００４９】
[0075]第２の反射体モジュールが、図３２Ａ〜３２Ｄにおいて反射体モジュール３００’として示される。巣部３０１’および仕切り板３０８’、したがって上側および下側の反射体谷部、３２４’３２６’は、上記で示され説明された第１の反射体モジュール３００のものと同一である。第２の反射体モジュール３００’は、これが、さらに、ＬＥＤの少なくとも一部を覆って位置する１つまたは複数の指向性部材３２８を提供する点のみ、第１の反射体モジュール３００とは異なる。図３２Ａの斜視図および３２Ｃおよび３２Ｄの断面図に最適に示されるように、指向性部材３２８は、完全長さの指向性部材３３０および焦点化された指向性部材３３２を備え、ＬＥＤ開口３２２’の特定のものの上方に位置する。図示される指向性部材３２８は、ＬＥＤ開口３２２’を覆って、ただし間隔をあけて位置する平坦な細長い板である。理解されるように、指向性部材３２８は、代替的には、所望の配光またはグレア低減を達成するために、平坦である代わりに湾曲したまたは他の形状のものでよい。各々の指向性部材３２８は、２つまたは複数の支持具３３４によってそのような場所に保持される。図示される実施形態では、各々の支持具３３４は、指向性部材３２８を受け入れるための長穴を有する平坦板によって構成される。長穴は、接着剤または他の固定手段無しで（たとえば圧力ばめによって）固定される形で指向性部材３２８を受け入れるのに十分な幅のものである。各々の支持具３３４の長さは、ＬＥＤ開口の列に対して横断方向に配向され、支持具３３４によって画定された平面は、基部３０２’によって画定された平面に対して横断方向に配向され、それにより、長穴は、支持具３３４の最も外側の縁上で開き、指向性部材３２８とＬＥＤ開口３２２’の間の分離を決定付け得る長穴の最も下側の深さまで下方向に延びる。
【００５０】
[0076]好ましくは、各々の指向性部材３２８は、少なくとも３つの支持具３３４によって保持されて、指向性部材３２８をその配置において安定するように維持する。支持具３３４は、図３２Ａに最適に示されるように、反射体モジュール長手方向仕切り板３０８’の長穴内に各々が保持される。支持具３３４はまた、任意選択で、反射体モジュールの上側壁３０４’または下側壁３０６’の１つまたは両方内の長穴に保持されてもよい。反射体モジュールの長手方向仕切り板３０８’および／または上側／下側壁３０４’、３０６’（たとえば折り畳み式タブ）に支持具３３４を固定する他の方法もまた、企図される。
【００５１】
[0077]指向性部材３２８は、反射体モジュール３００’を離れる光線の方向を微調整し、したがってこれに関連付けられるグレアを低減する。指向性部材３２８は、関連付けられた長穴の角度によって決定付けられるような、基部３０２’によって規定された平面に対する角度で配置される。図示される例では、開示された照明器具１００において使用する光モジュール１２８に使用されるとき、各々の反射体谷部内の上側指向性部材３２８は、基部３０２’によって画定された平面の法線であり、各々の反射体谷部内の下側指向性部材３２８は、基部３０２’によって画定された平面の法線の１５°下の角度を形成する。理解されるように、他の角度が各々の方向板に対して企図され、角度は、用途による要求（たとえばＬＥＤまたは他の光源の配光パターン、地面に対する反射体モジュール３００’の角度、防グレア要求事項など）に応じて、反射体谷部ごとに異なることができる。
【００５２】
[0078]指向性部材３２８は、完全長さ指向性部材３３０などのＬＥＤの関連付けられた列の完全長さ、または焦点化された指向性部材３３２などのその任意の部分を延びることができる。図示される実施形態では、指向性部材は、遮光板２０２に関連付けられるもの以外の各々のＬＥＤ開口３２２’に関連付けられる。その結果、図示される実施形態では、下側反射体谷部３２６’は、ＬＥＤ開口３２２’の列全体を覆って延びる完全長さの指向性部材３３０を有し、その一方では、上側反射体谷部３２４’は、焦点化された指向性部材３３２から構成され、この焦点化された指向性部材は、ＬＥＤ開口３２２’の、第１および第２の端部キャップ３１６’、３１８’の間ではなくこれらの部分に隣接する列の部分を覆って位置し、遮光板２０２に関連付けられる。
【００５３】
[0079]第３の反射体モジュールが、図３３Ａ〜３３Ｄに反射体モジュール３００”として示される。巣部３０１”および仕切り板３０８”、したがって上側および下側の反射体谷部３２４”３２６”は、上記で示され説明された第１の反射体モジュール３００のものと同一である。第３の反射体モジュール３００”は、これが、さらに、ＬＥＤ開口３２２”間に１つずつ位置する１つまたは複数の横断方向仕切り板３３６を提供する点のみ、反射体モジュール３００とは異なる。図３３Ａ〜３３Ｅに示される実施形態では、横断方向仕切り板３３６は、各々のＬＥＤ開口３２２”の右に位置する。各々の反射体谷部３２４”、３２６”内の第２の端部キャップ３１８”の最も近くに位置する１３枚の横断方向仕切り板３３６の各々は、上記で説明され、図１２Ｄに示された前方投射仕切り板と同一の断面形状を有する前方投射仕切り板３４０である。各々の反射体谷部３２４、３２６内の残りの横断方向仕切り板３３６（すなわち第１の端部キャップ３１６”の最も近くに位置する５枚）は、隣接するＬＥＤ開口３２２”内のＬＥＤから発せられた光を、前方投射仕切り板よりも下方向に指向させるように設計された下方投射構成を有する下方投射仕切り板３３８である。例示的な下方投射仕切り板３３８の詳細は、図３３Ｄに示され、より詳細には、図３３Ｅに付記される。図３３Ｅに関しては、横断方向仕切り板３３８は、光を下方向に指向させるために、基部３０２”に対して垂直なまたは凡そ垂直な角度で基部３０２”（またはその近傍）から延び上がる前面３３８ａと、光をその方向の幾分横方向に指向させることを可能にするために、基部３０２”（またはその近傍）から基部３０２”に対して鋭角に稜部３３８ｃまで延びる後面３３８ｂとを備える。後面３３８ｂは、近位の後面セクション３３８ｅおよび遠位の後面セクション３３８ｄから構成される。以下の寸法および角度は、例示的なものである：ａ”’＝３１°、ｂ”’＝１．０８ｃｍ（０．４２８インチ）、ｃ”’＝１．００ｃｍ（０．３９２インチ）、ｄ”’＝９°、ｅ”’＝９５°、ｆ”’＝１．７６ｃｍ（０．６９１インチ）。他の寸法および角度が、所望に応じて光を指向させるために企図される。
【００５４】
[0080]５枚の下方投射仕切り板３３８を１３枚の前方投射仕切り板３４０と結合させることにより、図示される第３の反射体モジュール３００”は、５つのＬＥＤ１５８からの光を下に位置する地面に向かって下方向に指向させ、一方で残りの前方投射仕切り板３４０は、光をＬＥＤ１５８の下方かつこれを通り越して投射して、光を下方向に照明器具１００の下に位置する領域を超えて投影する。１つの用途では、照明器具１００は、道路の脇に置かれてよく、前方投射仕切り板３４０は、光を道路に広がるように指向させ、一方で下方投射仕切り板３３８は、照明器具１００の下に位置する道路わきに光を指向させる。別の実施形態では、反射体モジュール３００”内の横断方向仕切り板３３６のすべては、前方投射仕切り板３４０、またはすべて下方投射仕切り板３３８、またはその任意の組み合わせになることができる。
【００５５】
[0081]横断方向仕切り板３３６は、好ましくは金属薄板から形成される。横断方向仕切り板３３６は、それぞれ反射体谷部３２４”、３２６”内の基部３０２”および／または上側／下側壁３０４”、３０６”および／または長手方向仕切り板３０８”にタブおよび長穴によって個々に固定され得る。代替的には、各々の反射体谷部３２４”、３２６”の横断方向仕切り板３３６はすべて、連続ストリップとして形成されてよく、次いで、少なくとも２つまたは３つの場所、またはそれ以上の場所において基部３０２”および／または上側／下側壁３０４”、３０６”および／または長手方向仕切り板３０８”の任意の地点に固定することによって谷部内に固定され得る。さらに別の代替策では、各々の反射体谷部３２４”、３２６”の横断方向仕切り板３３６は、すべて連続ストリップとして形成されてよく、これらのストリップは、互いに固定されて、少なくとも２つまたは３つの場所、またはそれ以上の場所において基部３０２”および／または上側／下側壁３０４”、３０６”および／または長手方向仕切り板３０８”の任意のものに固定することによって上側／下側谷部３２４”、３２６”に簡単に組み付けることができる。さらなる実施形態では、横断方向仕切り板３３６のすべてまたは一部は、基部３０２”から形成され得る。
【００５６】
[0082]第４の反射体モジュールが、図３４Ａ〜３４Ｅに反射体モジュール３００”’として示される。巣部３０１”’および長手方向仕切り板３０８”’、したがって上側反射体谷部３２４’”および下側反射体谷部３２６”’は、図示され上記で説明されたような反射体モジュール３００”’のものに類似しており、第４の反射体モジュール３００”’は、上記で説明された第３の反射体モジュール３００”のものと同一の横断方向仕切り板３３６を備える。第４の反射体モジュール３００”’は、第４の反射体モジュール３００”’の長手方向仕切り板３０８”’が、反射体モジュール３００”の長手方向仕切り板３０８”とは異なって構成される点のみ、第３の反射体モジュール３００”とは異なる。第４の反射体モジュール３００”’の長手方向仕切り板３０８”’は、図３４Ａ〜３４Ｄに示される。長手方向仕切り板３０８”’の特定のものが、図３４Ｃおよび図３４Ｅに最適に示される。第４の反射体モジュール３００”’の長手方向仕切り板３０８”’は、基部３０２”’（またはその近傍）に対して角度を付けて延びる第１の面３４２および真っすぐな第２の面３４４とを備える、下方投射仕切り板３４０である。第１の面３４２は、基部３０２’”との法線に対して鋭角に基部３０２”’（またはその近傍）から外方向に延びる第１の真っすぐなセグメント３４２ａと、第１のセグメント３４２からこれに対して鋭角に延びる第２の真っすぐなセグメント３４２ｂと、第２のセグメント３４２ｂに対して鋭角に延びる第３の真っすぐなセグメント３４２ｃとからなり、それにより、第２および第３のセグメントは、先のセグメントより隣接するＬＥＤ開口３２２”’に幾分向かうように角度を付ける。第１、第２、および第３の真っすぐなセグメント３４２ａ、３４２ｂ、３４２ｃは、曲線を近似し、代替の実施形態では、湾曲面によって置き換えられ得る。このようにして、下方投射仕切り板３４０、３０８”’は、光を下方向に投射して、第３の反射体モジュール３００”の長手方向仕切り板３０８”よりも多くの光を照明器具１００の下に位置する地面に向かって送る。下方投射仕切り板３４０が、前方投射横断方向仕切り板１８６と組み合わされたとき、隣接するＬＥＤ１５８から発せられた光は、照明器具１００の下に位置する地面へと前方向（第２の端部キャップ３１８”’に向かって）および下方向の両方に指向される。
【００５７】
[0083]第４の反射体モジュール３００”’の長手方向仕切り板３０８”’の詳細は、図３４Ｅに示される。特に、以下の寸法および角度は、例示的なものである：ｇ”’＝０．８２ｃｍ（０．３２３インチ）、ｈ”’＝０．８８ｃｍ（０．３４６インチ）、ｉ”’＝０．７７ｃｍ（０．３０５インチ）、ｊ”’＝３１°、ｋ”’＝３．２１ｃｍ（１．２６４インチ）、１”’＝１２９°、ｍ”’＝１３°、ｎ”’＝１０°。他の寸法および角度が、所望に応じて光を指向させるために企図される。
【００５８】
[0084]第５の反射体モジュールが、図３５Ａ〜３５Ｃに反射体モジュール３００””として示される。第５の反射体モジュール３００””は、これが、指向性部材支持具３３４の長穴内に指向性部材３２８が位置するとして先に論じられたのと同じ方法で、上側および下側の反射体谷部３２４””、３２６””の各々の横断方向仕切り板部材３３６””内の長穴に位置する１つの指向性部材３４６””を備えることを除いては、あらゆる点で第４の反射体モジュール３００”’と同一である。図示される実施形態における指向性部材３４６は、第５の反射体モジュール３００””の基部３０２””の法線の５１°上の角度を各々が形成する。こうして構成されることにより、第５の反射体モジュール３００””は、指向性部材３４６””を備えない第４の反射体モジュール３００”’より多くの光を上方向に投射する。他の寸法および角度が、所望に応じて光を指向させるために企図される。
【００５９】
[0085]照明器具１００の多用途性は、組み立てられた照明器具１００が、１つの光モジュール１２８を取り外し、他の２つを、代替の前方投射反射体１８４を有する光モジュールに取り換えるだけで、ＩＥＳＮＡタイプＶ配光を生み出すものからＩＥＳＮＡタイプＩＶ配光のものに転換され得ることを考えると明らかである。独自の構造視点から多用途性に取り組むことにより、２つの異なる照明器具は、２つの異なる形状が在庫として保たれることが必要である光モジュール１２８以外は、同じ部分を用いて組み立てられ得る。
【００６０】
[0086]反射体モジュール３００、３００’、３００”、３００”’、３００””は、同じ照明器具１００で異なる配光を作り出す柔軟性を同様にもたらす。特に、第１または第２の反射体モジュール３００、３００’を照明器具１００のすべての４つの光モジュール１２８において使用することにより、ＩＥＳＮＡタイプＶ配光がもたらされる。ＩＥＳＮＡタイプＩＶ配光は、第１または第２の反射体モジュール３００、３００’を、縁石、建物または近位の境界に隣接しこれに沿って通る照明器具の側部に、および境界から外方に光を投射するように構成された第３の反射体モジュール３００”を第１または第２の反射体モジュール３００、３００’を有する側部に隣接する照明器具１００の２つの側部の各々に使用することによって得られ得る。照明器具１００の残りの側部からは光は投影されない。最後に、ＩＥＳＮＡタイプＩＶ−Ａ配光は、すぐ上で説明されたタイプＩＶ配光のものと同じ構成を用いるが、第３の反射体モジュール３００”は第４または第５の反射体モジュール３００”’、３００””に置き換えることによって得られ得る。
【００６１】
[0087]反射体１６０、前方投射仕切り板１８６を含む代替の前方投射反射体１８４、および挿入体２０２を含む代替の反射体２００、ならびに第１、第２、第３、第４、および第５の反射体モジュール３００、３００’、３００”、３００”’、３００””は、好ましくは、Ａｌａｎｏｄ  Ｍｉｒｏ−４  Ｓｐｅｃｕｌａｒ  Ａｌｕｍｉｎｕｍなどの高反射性を有する金属薄板から構築される。他の材料もまた、この構成を達するように企図される。
【００６２】
[0088]本明細書において開示された照明器具の多用途性は、反射体１６０のわずかな変更および／または光学レンズの追加によって、望まれるあらゆる配光に近づくように拡張する。本明細書において説明された寸法、角度、材料などは、本明細書において開示された好ましい実施形態を示すものである。数多くの変形形態が、性能上の多様性を達成するために企図される。
【００６３】
[0089]さらに、４つの側部部材１２０から構成される、図示される照明器具１００は、現在好ましい実施形態の１つにすぎない。他の数の側部部材を有する照明器具もまた、所望のルーメン出力および配光を達成するために企図される。側部部材の数の変更に対応するために、側部部材１２０を含む図示される照明器具１００の部分に対する変更が必要であることが認識される。たとえば、代替の照明器具は、図示される側部部材１２０とほぼ同じように構成された３つの側部部材を備えるが、それらの端部１２２は、各側部部材の端部を別の側部部材の端部に直接的に取り付けることを可能にするために角度調整が必要になり得ることが異なる。３つの側部部材の構成では、端部１２２は、図示される実施形態の４５°ではなく６０°で角度付けされ得る。代替的には、角度付けされたコネクタが、図示される構成、または他の構成の側部部材１２０間に挿入されて、所望の側部部材の任意の数の照明器具を容易に得るのに必要な角度をもたらすことができる。また、照明器具から所望の任意の配光を総じて生み出すために、任意の数の側部部材の照明器具に加えて、側部部材の各々は、図示される構成または任意の他の構成の光モジュール１２８を有することができ、または光モジュールを全く有さないことができることも企図される。
【００６４】
[0090]この例示的な実施形態のＬＥＤは、（たとえば、意図される照明設備が必要とするように、任意の色もしくは白色の光、または色の混合および白色光を発する）任意の種類の色、および好ましくは可視スペクトルにおける照明能力または照明強度のものになることができる。色選択は、意図される照明設備が必要とするようになされる。本開示によると、ＬＥＤは、単色または複数の色の意図されたアレイを生み出す、いかなる半導体構成および材料または組み合わせ（合金）も備えることができる。ＬＥＤは、ＬＥＤに内蔵されたまたはＬＥＤを覆って置かれた反射光学素子を有することができ、または反射光学素子を有さなくてもよく、代替的には、またはさらに、たとえば低角度から中角度のＬＥＤ光を外方向に再指向させる周囲の反射体を有することができる。１つの適切な実施形態では、ＬＥＤは、１つまたは複数の蛍光体を含むコーティングに結合された窒化ガリウム（ＧａＮ）ベースの発光半導体装置を各々が備える白色ＬＥＤである。ＧａＮベースの半導体装置は、青色および／または紫外線領域の光を発することができ、蛍光体コーティングを励起してより長い波長光を生み出す。組み合わされた光出力は、白色出力を近似することができる。たとえば、青色光を発生させるＧａＮベース半導体装置は、黄色蛍光体と組み合わせて白色光を生み出すことができる。あるいは、紫外光を発生させるＧａＮベース半導体装置は、白色（または別の所望の光）を生み出す割合および配置で、赤色、緑色、および青色の蛍光体と組み合わされ得る。さらに別の適切な実施形態では、色付きＬＥＤが使用され、そのようなものは、赤色または緑色の光を発するリン化物ベースの半導体装置であり、この場合、ＬＥＤ組立体は、対応する色の光を生み出す。さらに別の適切な実施な形態では、ＬＥＤ光盤が、印刷回路基板に選択されたパターンで分布された赤色、緑色、および青色のＬＥＤを含んで、赤−緑−青（ＲＧＢ）の色合成装置を用いて選択された色の光を生み出すことができる。この後者の例示的な実施形態では、ＬＥＤ光盤は、選択された光強度において赤色、緑色、および青色のＬＥＤを選択的に作動させることによって選択可能な色を発するように構成され得る。ＬＥＤの異なる種類および色の群もまた、それらの出力を混合するという利益を得るために企図される。
【００６５】
[0091]本明細書において説明された実施形態は、ＬＥＤを用いて光線を発生させるが、他の光源もまた企図される。開示された照明器具は、ＬＥＤの使用に限定されない。
[0092]特定の実施形態が本明細書において説明されてきたが、本開示の方法、システム、および機器が、本発明の範囲から逸脱することなく他の特有の形態で具現化され得ることが当業者によって理解されるであろう。たとえば、本明細書における態様および実施形態は、特定の用途の文脈で説明されてきたが、本開示はそのようなものに限定されず、たとえば、本開示の実施形態は、いかなる配光用途にも全般的に利用され得る。
【００６６】
[0093]したがって、本明細書において説明され、添付の特許請求の範囲において請求される実施形態は、あらゆる点において、本開示を例示するが制限するものではないと考えられなければならない。
【図１】
2014532971.tif 000003
【図２】
2014532971.tif 000004
【図３】
2014532971.tif 000005
【図４】
2014532971.tif 000006
【図５】
2014532971.tif 000007
【図６】
2014532971.tif 000008
【図７】
2014532971.tif 000009
【図８】
2014532971.tif 000010
【図９】
2014532971.tif 000011
【図１０】
2014532971.tif 000012
【図１１】
2014532971.tif 000013
【図１２Ａ】
2014532971.tif 000014
【図１２Ｂ】
2014532971.tif 000015
【図１２Ｃ】
2014532971.tif 000016
【図１２Ｄ】
2014532971.tif 000017
【図１３】
2014532971.tif 000018
【図１４】
2014532971.tif 000019
【図１５】
2014532971.tif 000020
【図１６】
2014532971.tif 000021
【図１７】
2014532971.tif 000022
【図１８】
2014532971.tif 000023
【図１９】
2014532971.tif 000024
【図２０】
2014532971.tif 000025
【図２１】
2014532971.tif 000026
【図２２】
2014532971.tif 000027
【図２３】
2014532971.tif 000028
【図２４】
2014532971.tif 000029
【図２５】
2014532971.tif 000030
【図２６】
2014532971.tif 000031
【図２７】
2014532971.tif 000032
【図２８】
2014532971.tif 000033
【図２９】
2014532971.tif 000034
【図３０Ａ】
2014532971.tif 000035
【図３０Ｂ】
2014532971.tif 000036
【図３１Ａ】
2014532971.tif 000037
【図３１Ｂ】
2014532971.tif 000038
【図３１Ｃ】
2014532971.tif 000039
【図３２Ａ】
2014532971.tif 000040
【図３２Ｂ】
2014532971.tif 000041
【図３２Ｃ】
2014532971.tif 000042
【図３２Ｄ】
2014532971.tif 000043
【図３３Ａ】
2014532971.tif 000044
【図３３Ｂ】
2014532971.tif 000045
【図３３Ｃ】
2014532971.tif 000046
【図３３Ｄ】
2014532971.tif 000047
【図３３Ｅ】
2014532971.tif 000048
【図３４Ａ】
2014532971.tif 000049
【図３４Ｂ】
2014532971.tif 000050
【図３４Ｃ】
2014532971.tif 000051
【図３４Ｄ】
2014532971.tif 000052
【図３４Ｅ】
2014532971.tif 000053
【図３５Ａ】
2014532971.tif 000054
【図３５Ｂ】
2014532971.tif 000055
【図３５Ｃ】
2014532971.tif 000056
【手続補正書】
【提出日】平成26年6月6日(2014.6.6)
【手続補正１】
【補正対象書類名】特許請求の範囲
【補正対象項目名】全文
【補正方法】変更
【補正の内容】
【特許請求の範囲】
【請求項１】
照明器具であって、
くぼみを集合的に画定し、上側縁、下側縁、面および対向する外側側部を各々が画定する１つまたは複数の側部部材であって、前記側部部材の前記面は前記くぼみ内を向く、側部部材と、
少なくとも１つの側部部材の前記面内に画定されたくぼみと、
前記少なくとも１つの側部部材の前記面内の前記くぼみに関連付けられた光モジュールであって、１つまたは複数の光源と、１つまたは複数の指向部材と、前記光源および指向部材を前記モジュール内に封入するレンズとを備える、光モジュールと、
を備え、
前記光指向部材が、前記１つまたは複数の光源の少なくとも１つから発せられた光を、前記レンズに対して垂直になるように再指向させ、
前記光モジュールレンズが、前記くぼみを向き、
前記照明器具が、前記側部部材の前記下側縁を横切って延びるレンズを有さない、
照明器具。
【請求項２】
少なくとも１つの光源が、ＬＥＤである、請求項１に記載の照明器具。
【請求項３】
前記光指向部材の１つまたは複数が、反射体である、請求項１に記載の照明器具。
【請求項４】
前記光指向部材の１つまたは複数が、光学レンズである、請求項１に記載の照明器具。
【請求項５】
前記光モジュールが、光を前記くぼみに向かってかつ通り抜けるように指向させる、請求項１に記載の照明器具。
【請求項６】
前記側部部材の少なくとも１つが、熱放散フィンを備える、請求項１に記載の照明器具。
【請求項７】
前記側部部材の各々の上側縁間を延びる天井部を有する、請求項１に記載の照明器具。
【請求項８】
４つの側部部材を有する、請求項１に記載の照明器具。
【請求項９】
前記側部部材の少なくとも１つが、光モジュールを備えない、請求項１に記載の照明器具。
【請求項１０】
前記照明器具が、互いとは異なるさまざまな配光を投じるように構成された、少なくとも２つの光モジュールを備える、請求項１に記載の照明器具。
【請求項１１】
前記光モジュールがトレイを備え、前記レンズが、前記トレイに封止されて水分が前記モジュールに入らないようにする、請求項１に記載の照明器具。
【請求項１２】
前記１つまたは複数の側部部材の少なくとも１つが、複数の光モジュールを備える、請求項１に記載の照明器具。
【請求項１３】
照明器具であって、
上側縁、下側縁、および内側面を各々が有する４つの側部部材であって、４つの前記内側面が、一緒になって、天井部によって一方の端部において閉じられたくぼみを画定する、側部部材と、
前記側部部材の少なくとも１つの前記内側面内に画定されたくぼみと、
前記側部部材の前記少なくとも１つの前記内側面内に画定された前記くぼみに関連付けられた光モジュールであって、トレイと、前記トレイに取り付けられた１つまたは複数の光源と、前記光源の１つまたは複数に関連付けられた１つまたは複数の光反射体または光学レンズと、前記光源および前記１つまたは複数の光反射体または光学レンズを前記モジュール内に封入し封止するレンズであって、前記光指向部材が、前記１つまたは複数の光源の少なくとも１つから発せられた光を、前記レンズに対して垂直になるように再指向させる、レンズと、を備える、光モジュールと
を備え、
前記４つの側部部材の下側縁が、各々の光モジュールレンズと共に角度を形成する平面を画定する、照明器具。
【請求項１４】
少なくとも１つの光源が、ＬＥＤである、請求項１３に記載の照明器具。
【請求項１５】
前記光モジュールが、前記側部部材と表面接触して熱を前記光モジュールから外方に導く、請求項１３に記載の照明器具。
【請求項１６】
前記側部部材の少なくとも１つが、熱放散フィンを備える、請求項１３に記載の照明器具。
【請求項１７】
前記４つの側部部材によって画定された前記くぼみが、前記側部部材の各々の上側縁間を延びる前記天井部によって一方の端部において閉じられる、請求項１３に記載の照明器具。
【請求項１８】
前記側部部材の各々の下側縁をわたして延びるレンズを有さない、請求項１３に記載の照明器具。
【請求項１９】
前記側部部材の少なくとも１つが、光モジュールを備えない、請求項１３に記載の照明器具。
【請求項２０】
前記光モジュールの少なくとも２つが、異なる配光を投じるように構成される、請求項１３に記載の照明器具。
【請求項２１】
前記光モジュールが、前記トレイと前記レンズの間に封止部を備えて前記トレイを封止し、水分が前記モジュール内に入らないようにする、請求項１３に記載の照明器具。
【請求項２２】
前記光モジュールの少なくとも１つが、関連付けられた側部部材から取り外し可能である、請求項１３に記載の照明器具。
【請求項２３】
照明器具であって、
上側縁、下側縁、および内側面を各々が有する第１の側部部材、第２の側部部材、第３の側部部材、および第４の側部部材であって、４つの前記内側面が、一緒になって、天井部によって一方の端部において閉じられたくぼみを画定する、側部部材と、
前記第１の側部部材に関連付けられた第１の光モジュールであって、トレイと、前記トレイに取り付けられた１つまたは複数の光源と、前記光源の１つまたは複数に関連付けられた１つまたは複数の光反射体または光学レンズと、前記光源および前記１つまたは複数の光反射体または光学レンズを前記モジュール内に封入し封止するレンズと、を備える、第１の光モジュールと
を備え、
前記第４の側部部材には、光モジュールは関連付けられない、照明器具。
【請求項２４】
第２の光モジュールが、前記第２の側部部材に関連付けられ、第３の光モジュールが、前記第３の側部部材に関連付けられる、請求項２３に記載の照明器具。
【請求項２５】
前記照明器具が、ＩＥＳＮＡタイプＩＶ配光を近似する配光を生み出す、請求項２４に記載の照明器具。
【請求項２６】
前記第３の側部部材には、光モジュールは関連付けられない、請求項２３に記載の照明器具。
【国際調査報告】
2014532971.tif 000057
2014532971.tif 000058
2014532971.tif 000059
2014532971.tif 000060
2014532971.tif 000061